(57)【特許請求の範囲】
【請求項１】
ガスの圧縮時に圧縮機内に油を噴射しながら圧縮を行うようにしたタンデム型のスクリュー圧縮機であって、低段側圧縮機から高段側圧縮機へガスと油を送給する中間配管と、高段側圧縮機から吐出されたガスと油を送給する配管と、該配管から送給されたガスと油から油を分離し得るようにした油分離器とを備え、前記中間配管の油の溜まる部分より上部の空間部と油分離器の油の溜まる部分より上部の空間部とは、中途部に第一の開閉弁を備えた均圧配管により接続され、前記中間配管の油の溜まる部分と油分離器の油の溜まる部分とは、中途部に第二の開閉弁を備えた油戻し配管により接続されており、しかも前記中間配管に溜まる油のレベルは、油分離器の油のレベルよりも高くなるよう構成されていることを特徴とするスクリュー圧縮機。
【発明の詳細な説明】
【０００１】
【発明の属する技術分野】
本発明は、油を噴射しながらガスの圧縮を行う油噴射式タンデム型のスクリュー圧縮機に関するものである。
【０００２】
【従来の技術】
従来の油噴射式タンデム型のスクリュー圧縮機の一例は図３〜図５に示されている。図中、１は低段側スクリューロータ２を備えた低段側圧縮機、３は低段側圧縮機１の吸入口、４は低段側圧縮機１の吐出口である。又、５は高段側スクリューロータ６を備えた高段側圧縮機、７は高段側圧縮機５の吸入口、８は高段側圧縮機５の吐出口である。更に、９は電動機等の駆動装置であり、駆動装置９を駆動することにより、低段側スクリューロータ２と高段側スクリューロータ６とを回転駆動し得るようになっている。
【０００３】
１０は低段側圧縮機１の吐出口４と高段側圧縮機５の吸入口７とを接続する中間配管であり、中間配管１０は低段側圧縮機１側から高段側圧縮機５側へ向かう中途部で絞られている。而して、中間配管１０の低段側圧縮機１側における大径部の内周下部は、中間配管１０の高段側圧縮機５側における小径部の内周下部よりも低い位置に位置している。
【０００４】
１１は高段側圧縮機５の吐出口８と油分離器１２の下部側面とを接続する配管である。又、スクリュー圧縮機を駆動する際には、油分離器１２から低段側圧縮機１及び高段側圧縮機５内に油を噴射し得るよう、油分離器１２と低段側圧縮機１及び高段側圧縮機５とは、中途部に給油ポンプを備えた油配管により接続されている（図示せず）。
【０００５】
なお、油分離器１２に貯留される油１３のレベルの上限は、中間配管１０の大径部に形成される内周最下部よりも下方に位置するよう制御されるようになっている。
【０００６】
上記スクリュー圧縮機でガスの圧縮を行う場合には、駆動装置９を駆動して低段側スクリューロータ２及び高段側スクリューロータ６を駆動すると共に、図示してない給油ポンプを駆動して、油分離器１２内の油１３を、低段側圧縮機１の低段側スクリューロータ２間とケーシングの間、及び高段側圧縮機５の高段側スクリューロータ６間とケーシングの間に噴射させる。
【０００７】
吸入口３から低段側圧縮機１へ吸入されたガスは、低段側スクリューロータ２により圧縮され、噴射された油と共に吐出口４から中間配管１０へ送り出され、中間配管１０から吸入口７を経て高段側圧縮機５内に吸入される。高段側圧縮機５では、ガスは高段側スクリューロータ６により圧縮され、噴射された油と共に吐出口８から配管１１へ送り出され、配管１１から油分離器１２へ送給される。而して、油分離器１２では、高圧のガスは油を分離され、油分離器１２から次工程へと送り出される。
【０００８】
【発明が解決しようとする課題】
上記スクリュー圧縮機では、駆動装置９を停止した場合には、給油も停止する必要があるが、駆動装置９を停止したにも拘らず、誤って給油を停止しなかったような場合には、中間配管１０の大径部下部に油１３が溜まる。この場合、駆動装置９を駆動してスクリュー圧縮機を再起動すると、中間配管１０に溜まっていた油１３は、ガスと共に急激に中間配管１０から高段側圧縮機５へ送られ、種々のトラブルが発生する虞がある。
【０００９】
そこで、従来は中間配管１０に油１３が溜まった場合には、スクリュー圧縮機の再起動を行う前に、低段側圧縮機１側を加圧するか、或は、高段側圧縮機５側を真空にして、中間配管１０に溜まっている油１３を高段側圧縮機５及び配管１１を経て油分離器１２に戻すようにしている。
【００１０】
しかしながら、上記したようにして、中間配管１０内に溜まっている油１３を油分離器１２に戻すようにすると、加圧手段や真空手段が必要となって設備費、運転維持費が高価となるうえ、取扱いも煩雑になるという問題がある。
【００１１】
本発明は、上述の実情に鑑み、中間配管に溜まった油を容易且つ確実に油分離器に戻すことができ、しかも中間配管に溜まった油を油分離器へ戻すための手段が簡易な構造で安価な、スクリュー圧縮機を提供することを目的としてなしたものである。
【００１２】
【課題を解決するための手段】
本発明のスクリュー圧縮機は、ガスの圧縮時に圧縮機内に油を噴射しながら圧縮を行うようにしたタンデム型のスクリュー圧縮機であって、低段側圧縮機から高段側圧縮機へガスと油を送給する中間配管と、高段側圧縮機から吐出されたガスと油を送給する配管と、該配管から送給されたガスと油から油を分離し得るようにした油分離器とを備え、前記中間配管の油の溜まる部分より上部の空間部と油分離器の油の溜まる部分より上部の空間部とは、中途部に第一の開閉弁を備えた均圧配管により接続され、前記中間配管の油の溜まる部分と油分離器の油の溜まる部分とは、中途部に第二の開閉弁を備えた油戻し配管により接続されており、しかも前記中間配管に溜まる油のレベルは、油分離器の油のレベルよりも高くなるよう構成されているものである。
【００１４】
本発明によれば、スクリュー圧縮機の停止時に給油が停止されず、中間配管に油が溜まった場合には、第一、第二の開閉弁を開く。そうすると、油分離器と中間配管は均圧となり、その結果、中間配管に溜まっていた油は、油戻し配管から油分離器へ戻される。
【００１５】
本発明では、第一、第二の開閉弁を開くだけで中間配管に溜まっていた油を容易且つ確実に油分離器へ戻すことができ、又、油を油分離器へ戻すための手段としては均圧配管及び油戻し配管と第一、第二の開閉弁を設けるだけで良いため、構造が簡単で、設備費、運転維持費が安価となる。
【００１６】
【発明の実施の形態】
以下、本発明の実施の形態を図示例と共に説明する。
図１は本発明を実施する形態の一例であって、図中、図３と同一の符号を付した部分は同一物を表わしており、基本的な構成は図３に示す従来のものと同様である。而して、本図示例の特徴とするところは、図１に示す如く、中間配管１０の天端と油分離器１２の油１３よりも上部の部分とを、中途部に開閉弁１４及び逆止弁１５を備えた均圧配管１６により接続すると共に、中間配管１０の底端と油分離器１２の下側部とを、中途部に開閉弁１７及び逆止弁１８を備えた油戻し配管１９により接続した点にある。
【００１７】
なお、中間配管１０は、図３に示すものと同様、低段側圧縮機１側から高段側圧縮機５側へ向う途中で絞られ、低段側圧縮機１側の直径は高段側圧縮機５側の直径よりも大径になっている。
【００１８】
逆止弁１５は、ガスが中間配管１０側から油分離器１２側へ逆流しないよう設けられており、逆止弁１８は、油１３が油分離器１２側から中間配管１０側へ逆流しないよう設けられている。
【００１９】
次に、上記図示例の作動を説明する。
本図示例のスクリュー圧縮機を駆動してガスの圧縮を行う場合には、開閉弁１４，１７は閉止しておくが、それ以外は従来の場合と同様にして運転を行うので、スクリュー圧縮機自体の運転の説明は省略する。
【００２０】
本図示例のスクリュー圧縮機において、駆動装置９を停止したにも拘らず、給油が停止されず、中間配管１０の大径部下部に油１３が溜まった場合には、開閉弁１４，１７を開く。そうすると、油分離器１２内のガスは均圧配管１６から中間配管１０に流入して、油分離器１２内のガスの圧力と中間配管１０内のガスの圧力は均圧となる。又、中間配管１０に溜まっている油１３のレベルは、油分離器１２に貯留されている油１３のレベルよりも高いため、中間配管１０内の油１３は油戻し配管１９を流通して油分離器１２に戻される。
【００２１】
本図示例のスクリュー圧縮機においては、開閉弁１４，１７を開くだけで、中間配管１０に溜まっていた油１３を容易且つ確実に油分離器１２へ戻すことができる。又、開閉弁１４及び逆止弁１５を備えた均圧配管１６と、開閉弁１７及び逆止弁１８を備えた油戻し配管１９とを設けるだけで良いため、簡単な構造ですみ、従って、設備費、運転維持費とも安価である。
【００２２】
図２は本発明を実施する形態の他の例であって、図中、図１と同一の符号を付した部分は同一物を表わしいてる。本例においては、中間配管１０の低段側圧縮機１側の直径は、高段側圧縮機５側の直径よりも大きいことは図１の場合と同様である。しかし、中間配管１０の天端の高さは、低段側圧縮機１側においても高段側圧縮機５側においても、同一の高さとなっている点で図１の場合とは相違している。従って、中間配管１０の低段側圧縮機１側の下端の位置は、高段側圧縮機５の下端位置よりも低くなっている点も、図１の場合と同様である。
【００２３】
斯かる構成とすることによっても図１に示すスクリュー圧縮機と同様の作用効果を奏することができる。
【００２４】
なお、本発明のスクリュー圧縮機は、上述の図示例にのみ限定されるものではなく、本発明の要旨を逸脱しない範囲内において種々変更を加え得ることは勿論である。
【００２５】
【発明の効果】
以上、説明したように本発明の請求項１、２に記載のスクリュー圧縮機によれば、第一、第二の開閉弁を開くだけで中間配管に溜まっていた油を容易且つ確実に油分離器へ戻すことができ、又、油を油分離器へ戻すための手段としては均圧配管及び油戻し配管と第一、第二の開閉弁を設けるだけで良いため、構造が簡単で、設備費、運転維持費が安価となる、等種々の優れた効果を奏し得る。
【図面の簡単な説明】
【図１】本発明のスクリュー圧縮機の実施の形態の一例を示す全体側面図である。
【図２】本発明のスクリュー圧縮機の実施の形態の他の例を示す全体側面図である。
【図３】従来のスクリュー圧縮機の一例を示す全体側面図である。
【図４】図３のＩＶ−ＩＶ方向矢視図である。
【図５】図３のＶ−Ｖ方向矢視図である。
【符号の説明】
１  低段側圧縮機
５  高段側圧縮機
１０  中間配管
１１ 配管
１２  油分離器
１３  油
１４  開閉弁（第一の開閉弁）
１６  均圧配管
１７  開閉弁（第二の開閉弁）
１９  油戻し配管
【図１】
0004029261.tif 000002
【図２】
0004029261.tif 000003
【図３】
0004029261.tif 000004
【図４】
0004029261.tif 000005
【図５】
0004029261.tif 000006